(57)【要約】  【課題】  【解決手段】複数の操作機能のためのタッチセンサ式操作入力面を具えるスクロールセンサ（１００）を使用した装置および方法が提供される。入力面は複数の領域（“ＣＨ”および“Ｖｏｌ”）に分割される。各領域には複数の操作機能の一つが割り当てられる。これらの操作機能のうち少なくとも一つがパラメータ操作入力を受ける。１回目のタッチ（“ＣＨ”）を入力面の一の領域で受ける。タッチされた領域に割り当てられた操作機能が選択される。選択された操作機能がパラメータ操作入力を受ける操作機能のうちの一つである場合、入力面の２回目のタッチ（“Ｖｏｌ”）が、選択された操作機能の動作期間内のパラメータ操作入力として感知される。２回目のタッチ（“Ｖｏｌ”）は、入力面の任意の位置におけるパラメータ操作入力として受けることができる。【選択図】図１２
2008509476.tif 000002
【特許請求の範囲】
【請求項１】
複数の操作機能のためのタッチセンサ式操作入力面を具えるスクロールセンサを使用する方法において、当該方法が：
前記入力面を複数の領域に分割するステップと；
前記複数の領域のそれぞれに、前記複数の操作機能のうちの一つを割り当てるステップであって、前記操作機能の少なくとも一つが、パラメータ操作入力を受けるステップと；
前記入力面の複数の領域の一つで１回目のタッチを受けるステップと；
前記タッチされた領域に割り当てられた操作機能を選択するステップと；
前記選択された操作機能がパラメータ操作入力を受ける少なくとも一の操作機能のうちの一つである場合に、前記入力面の２回目のタッチを、前記選択された操作機能の動作期間内にパラメータ操作入力として受けるステップとを具えることを特徴とする方法。
【請求項２】
請求項１に記載のスクロールセンサを使用する方法において、前記入力面が、コントローラの状態に基づいて異なる複数の領域に分割されることを特徴とする方法。
【請求項３】
請求項１に記載のスクロールセンサを使用する方法において、前記２回目のタッチは、入力面のいかなる位置でもパラメータ操作入力として受けられることを特徴とする方法。
【請求項４】
請求項１に記載のスクロールセンサを使用する方法において、前記２回目のタッチが、前記１回目のタッチに連続することを特徴とする方法。
【請求項５】
請求項１に記載のスクロールセンサを使用する方法において、前記動作期間が、前記２回目のタッチが終了するまで続くことを特徴とする方法。
【請求項６】
請求項１に記載のスクロールセンサを使用する方法において、前記動作期間が、前記２回目のタッチが終了した後しばらくの間継続することを特徴とする方法。
【請求項７】
請求項１に記載のスクロールセンサを使用する方法において、前記複数の操作機能の一つがボリュームコントロールを含み、前記パラメータ操作入力がボリュームの所望の変化を指定することを特徴とする方法。
【請求項８】
請求項１に記載のスクロールセンサを使用する方法において、前記複数の操作機能の一つがチャネルコントロールを含み、前記パラメータ操作入力がチャネルの所望の変化を指定することを特徴とする方法。
【請求項９】
請求項１に記載のスクロールセンサを使用する方法において、前記複数の操作機能の一が周波数制御を含み、前記パラメータ操作入力が周波数における所望の変化を指定することを特徴とする方法。
【請求項１０】
請求項１に記載のスクロールセンサを使用する方法において、前記複数の操作機能の一つがプレイリストの制御を含み、前記パラメータ操作入力が選択されたプレイリスト項目の所望の変化を指定することを特徴とする方法。
【請求項１１】
請求項１に記載のスクロールセンサを使用する方法において、前記複数の操作機能の一つが保存済デジタルアイテムの制御を含み、前記パラメータ操作入力が選択された保存済デジタルアイテムの所望の変化を指定することを特徴とする方法。
【請求項１２】
請求項１に記載のスクロールセンサを使用する方法において、前記複数の操作機能の一つがメディア再生速度の制御を含み、前記パラメータ操作入力が、メディア再生速度の所望の変化を指定することを特徴とする方法。
【請求項１３】
請求項１に記載のスクロールセンサを使用する方法において、前記複数の操作機能の一つがメディア再生位置の制御を含み、前記パラメータ操作入力が、メディア再生位置の所望の変化を指定することを特徴とする方法。
【請求項１４】
請求項１に記載のスクロールセンサを使用する方法において、前記複数の操作機能の一つが少なくとも２つのナビゲーション制御を含み、各ナビゲーション制御のパラメータ操作入力が、ナビゲーション位置の所望の変化を指定することを特徴とする方法。
【請求項１５】
請求項１４に記載のスクロールセンサを使用する方法において、ナビゲーション位置の変化は、カーソルの移動を含むことを特徴とする方法。
【請求項１６】
請求項１４に記載のスクロールセンサを使用する方法において、ナビゲーション位置の変化は、表示されたアイテムのリストのスクロールを含むことを特徴とする方法。
【請求項１７】
請求項１に記載のスクロールセンサを使用する方法において、前記複数の操作機能の一つが少なくとも１つのカメラ操作機能を含み、前記パラメータ操作入力により、パン、ティルト、ズーム、フォーカス、絞りのいずれか１以上の所望の変化を指定することを特徴とする方法。
【請求項１８】
請求項１に記載のスクロールセンサを使用する方法において、前記複数の操作機能の一つが少なくとも１つの画像表示制御を含み、前記パラメータ操作入力により、パン、ティルト、ズームのいずれか１以上の所望の変化を指定することを特徴とする方法。
【請求項１９】
環状のタッチセンサ式操作入力面を具えるスクロールセンサであって前記入力面のタッチ位置を通知する出力信号を提供するスクロールセンサと；
前記スクロールセンサと通信するコントローラとを具え、当該コントローラが、
（ａ）前記スクロール入力面の１回目のタッチを通知する第１の信号を前記スクロールセンサから受け、
（ｂ）前記１回目のタッチにおけるスクロールセンサ入力面のタッチ位置に基づいて複数の操作機能から一つの機能を選択し、
（ｃ）前記スクロールセンサ入力面の２回目のタッチを通知する第２の信号をスクロールセンサから受け、
（ｄ）前記２回目のタッチにおけるスクロールセンサ入力面のタッチ位置に基づいて、前記選択された機能のコントロール入力を提供するように動作することを特徴とする装置。
【請求項２０】
請求項１９に記載の装置において、前記スクロールセンサが、リモートコントローラの一部であることを特徴とする装置。
【請求項２１】
請求項１９に記載の装置において、前記スクロールセンサおよび前記コントローラが、ポータブルデジタル記憶装置の一部であることを特徴とする装置。
【請求項２２】
請求項１９に記載の装置がさらにディスプレイを具え、当該ディスプレイが前記複数の操作機能のうちいずれが選択されているかを表示することを特徴とする装置。
【請求項２３】
請求項１９に記載の装置において、前記コントローラがさらに、前記複数の操作機能において操作機能を変更するように動作することを特徴とする装置。
【請求項２４】
エンターテイメントシステムで使用するリモートコントローラにおいて、当該リモートコントローラが：
環状のタッチセンサ式操作入力面を具えるスクロールセンサであって、前記入力面のタッチ位置を通知する出力信号を提供するスクロールセンサと；
リモートコントロール信号を送信する送信部と；
前記スクロールセンサおよび前記送信部と通信するコントローラとを具え、当該コントローラが、
（ａ）前記タッチセンサ式操作入力面を少なくとも２つの領域に分割し、各領域を複数のリモートコントロール機能のいずれかに対応させ、
（ｂ）前記スクロールセンサから、タッチされた少なくとも２つの領域のうちの一つであって前記複数のリモートコントロール機能のうちの一つを選ぶ、選択された領域を通知する第1の信号を受け、
（ｃ）前記スクロールセンサから、スクロールセンサ入力面のパラメータ操作入力を提供する２回目のタッチを通知する第２の信号を受け、
（ｄ）前記送信部を制御して、選択されたリモートコントロール機能のパラメータ操作入力を指定する信号を送信するように動作することを特徴とするリモートコントローラ。
【発明の詳細な説明】
【技術分野】
【０００１】
関連出願のクロスリファレンス
本出願は、２００４年８月４日に出願された米国暫定特許出願第６０／５９８，６８４号の優先権を主張する。  
【０００２】
本発明は、人間が入力を操作できるインタフェース装置に関する。
【背景技術】
【０００３】
携帯電話やミュージックプレーヤ、リモートコントローラといった手持ちサイズのポータブルな電子機器は、機能性および有用性を持続的に高めている。同時に、これらの装置に触って操作する方法の効率性および直観性を高める必要性がある。この目的に対する有望なユーザ入力装置の種類の一つが回転式入力である。
【０００４】
主として回転式入力を必要とする入力装置として、ノブ、ジョグホイール、シャトルリング、およびコンピュータのマウスのスクロールホイールなどがある。これらの装置は通常、回転式入力を利用してオーディオのボリュームなどのいくつかのパラメータを連続的に変化させる。最もよくある例はラジオのチューナノブであり、ノブの回転動作が機械により周波数インジケータの連続的な動きに変換される。多くの電子装置は、ノブが回転するとともにバーの長さがボリュームに比例して変化するような電子的な表示に、連続的な動作をさせるノブまたは他の回転式入力装置を有する。
【０００５】
コンピュータの回転式入力装置に共通する種類は、マウスのスクロールホイールである。ユーザが回転させると、スクロールホイールは、グラフィカルユーザインタフェース上の様々な連続的な動きや動作を操作する。これらの動作は、テキスト、ウェブページ、またはイメージのスクロールバーまたはスクロールの動作を含む。また、個々のソフトウェアアプリケーションには、Ｗｉｎａｍｐ、Ｍｕｓｉｃｍａｔｃｈ、ｉＴｕｎｅｓ等の人気のある多くのミュージックソフトウェアアプリケーションにおいてボリュームやバランスのインジケータを連続的に動かすようなスクロールホールの特別の機能が組み込まれている。
【０００６】
小さくてポータブルな電子機器にとって、ノブは大きくてはみ出るという不都合がある。また、ポータブル装置に適した小さなスクロールホイールは、小さすぎて容易に使うことができない。ジョグホイールは、小さくてポータブルな電子機器に非常に適した平らな回転式入力装置の一種である。ジョグホイールは、通常、自由にまた連続的に回転可能な円盤状の入力装置である。一の使用例は、ジョグホイールを回転することにより、現在表示しているこまの相対的な位置を示すいくつかの種類のタイムインジケータとともにビデオテープの前後のこまを表示することができる、ビデオテープの再生または編集装置である。
【０００７】
回転式入力装置の第２の種類は、シャトルリングである。これは、ジョグホイールを取り巻くリング、または独立したディスクやノブである。一般に、シャトルリングは決められた角度まで回転し、離したときにバネによりもとの位置に戻る。リングは、もとの位置からリングを回転させる力または回転した角距離のいずれかまたは両方を検知することができる。シャトルリングは通常、パラメータが変化した割合を選択するのに用いられる。例えば、シャトルリングを回転することにより、変位に比例した割合でビデオのこまが進む。右回りにさまざまな角度で回転させることにより、ビデオの早送りの速度がさまざまに変化し、左回りに回転させることにより巻き戻される。同じような方法により、いずれかの方向にさまざまな角度で回転させることにより、オーディオのボリュームまたはその他のパラメータを所定の割合で増減させることができる。
【０００８】
ジョグホイールおよびシャトルリングは、ノブよりも平らではあるが、主として機械であることによる不都合を有しており、そのため幾分大きい。完全に平らな回転式入力装置の比較的新しい種類は、環状型のタッチパッドである。これは、タッチや回転動作による角度位置を検知することができる平らな輪である。このようなセンサの一つは、シンパティック社により製造され、指の圧力により生じるキャパシタンスの変化を検知して動作する。別のセンサが、２００４年５月１８に“環状電位差式タッチセンサ”の名称で出願された同一出願人による米国特許出願第６０／５７２，１５５に開示されており、ここに参照して記載する。ノブまたはディスクのように、環状型のタッチパッドは、回転動作および回転動作の初めと終わりの角度等を通知することができる。しかし、ノブやディスクとは違い、環状型のタッチパッドは、ユーザが初めにどの位置に触れたのか通知して、回転動作を開始することができる。これは、初めにどの位置で把持されたかを通知するノブに類似している。本発明を環状型タッチパッドの特別および特有の性能に応用することにより、電子装置にユーザが入力する効率性および直観性を高める。
【０００９】
環状型センサを利用したシステムの例は、アップル社のｉＰｏｄである。この装置は、環状センサからの回転入力を操作機能に変換する。様々な操作機能は、メニューやソングリストによる連続的な動作およびボリュームスライダの連続的な調整等を含む。回転動作に機能を付与した正確な操作機能は、コンテキストセンシティブである。コンテキストは、ボタンや他のボタンを選択する手段によってのみ変更される。
【００１０】
必要とされるのは、素速くまた直観的に機能選択やパラメータ入力ができるヒューマンインタフェースである。このインタフェースは、小さく安価で、幅広い種類の電子装置に簡単に組み込み可能であるべきである。
【発明の開示】
【課題を解決するための手段】
【００１１】
本発明は、初めにスクロールセンサに接触する位置に基づいて選択された複数の機能のうちの一つを可能にするスクロールセンサを提供する。異なる操作機能を開始するために、ボタンの押下、メニューからの選択、または他の不連続で扱いにくい選択ステップを必要としない。その代わり、機能を選択するためには回転動作を特定の位置で開始することのみ必要とされる。
【００１２】
複数の操作機能のためのタッチセンサ式操作入力面を具えるスクロールセンサを使用する方法が提供される。この入力面は複数の領域に分割される。各領域には、複数の操作機能のうちの一つが割り当てられる。これらの操作機能の少なくとも一つが、パラメータ操作入力を受ける。１回目のタッチが入力面の一の領域で感知される。タッチされた領域に割り当てられた操作機能が選択される。選択された操作機能がパラメータ操作入力を受ける操作機能のうちの一つである場合、入力面の２回目のタッチが、選択された操作機能の動作期間内のパラメータ操作入力として感知される。２回目のタッチは、パラメータ操作入力として入力面の任意の位置で感知される。
【００１３】
本発明の一実施例では、入力面は、コントローラの状態に基づいて複数の異なる領域に分割される。
【００１４】
本発明の別の実施例では、２回目のタッチは１回目のタッチに連続する。この場合、動作期間は２回目のタッチが終了するまで続く。代替的に、２回目のタッチが終了した後しばらくの間、動作期間を継続させてもよい。
【００１５】
本発明の様々な実施例では、操作機能は、ボリューム、チャネル選択、周波数、プレイリスト選択、記録されたデジタルアイテムの選択、メディアの再生速度、およびメディアの再生位置等の操作を含んでもよい。多くの操作機能は、カーソルの移動や表示されたアイテムリストのスクロール等のナビゲーションの位置の所望の変化を指定する各ナビゲーション操作用のパラメータ操作入力による、少なくとも２つのナビゲーションコントロールを含んでもよい。また、操作機能は、カメラの視界における所望の変化（例えば、パン、ティルト、ズーム、フォーカス、絞り）を指定するパラメータ操作入力による、少なくとも１つのカメラの位置操作を含んでもよい。さらに、操作機能は、表示されたイメージビューの所望の変化（例えば、パン、ティルト、ズーム）を指定するパラメータ操作入力による、少なくとも１つのイメージビュー操作を含んでもよい。
【００１６】
スクロールセンサおよびコントローラを具える装置が提供される。前記スクロールセンサは、環状のタッチセンサ式の操作入力面を有する。前記スクロールセンサは、前記入力面の接触位置を通知する出力信号を提供する。前記コントローラは、前記スクロールセンサ入力面の１回目のタッチを通知する第１の信号を前記スクロールセンサから受信する。複数の操作機能の一つが、前記接触位置に基づいて選択される。前記スクロールセンサ入力面の２回目のタッチを通知する第２の信号が、前記スクロールセンサから送信される。操作入力は、前記２回目のタッチの接触位置に基づいて選択された機能のために提供される。
【００１７】
本発明の一実施例では、前記コントローラは前記操作機能を変更することができる。前記装置は、現在どの操作機能が選択されているかを示すディスプレイを具えてもよい。
【００１８】
また、エンタテイメントシステムで使用されるリモートコントローラが提供される。前記リモートコントローラは、送信部と、環状のタッチセンサ式入力面を有するスクロールセンサとを具える。コントローラが、前記タッチセンサ式操作入力面を少なくとも２つの領域に分割し、各領域は、複数の遠隔操作機能の一つに対応する。前記スクロールセンサからの第１の信号が、前記遠隔操作機能の一つを選択した領域を通知する。前記スクロールセンサからの第２の信号が、パラメータ操作入力を提供する。前記送信部は、前記遠隔操作機能のためにパラメータ操作入力を指定する信号を送信する。
【００１９】
本発明の前述した目的およびその他の目的、特徴、ならびに利点は、添付の図面を参照して、以下に詳細に説明する本実施例の最良の形態により明らかとなる。
【発明を実施するための最良の形態】
【００２０】
図１を参照すると、本発明の一実施例にかかるスクロールセンサ１００の分解斜視図が示されている。センサ１００は、リングセンサ、スクロールセンサ、または多目的のノブであってもよい。センサ１００は、タッチによる角度位置を決定する平坦な環状電位差式タッチセンサである。センサ１００は“平面”であり、検知部材の直径は数十ミリメートルであり、厚さはたった０．５ｍｍ程である。センサ１００は、リングまたはリングの部分的な弧を具えるため環状である。センサ１００は、電位差を生じさせる抵抗部材と、当該抵抗部材に接触する検知部材とを具え、検知部材により検知される電位差はタッチ位置に比例する。センサ１００は“タッチ”センサであり、寸法や操作時の力の範囲は、軽い人の指の力を検知するのに適している。
【００２１】
好適な実施例は複数の層からなる。軟質または硬質の底基板１０２が、環状抵抗部材１０４の内側または上面に設けられる。２本以上の高導電率のドライブライン１４０が抵抗部材１０４を横切り、好ましくは抵抗部材を横断する。抵抗部材１０４は、カーボンインクを適切にスクリーン印刷したポリマー厚膜とすることができる。高導電性素材は、銀インクのポリマー厚膜とすることができる。
【００２２】
軟質な上部基板１０８が、導電検知層１１０の内側または下面に設けられる。この導電検知層１１０は、機械的なポテンシオメータのワイパーと似ている。この導電検知層１１０は、無地パターンまたはメッシュのグリッドパターンであってもよい。導電検知層１１０は通常、銀のポリマー厚膜であるが、カーボンまたは他の導電性あるいは半導性の素材としてもよい。
【００２３】
底基板１０２および軟質な上部基板１０８は、粘着スペーサ層１１４により環状部分の半径の内側および外側で貼り合わされる。このスペーサ層１１４は、ユーザ（図示せず）が軟質な上部基板１０８または底基板１０２にタッチするとき以外、上部基板１０８と底基板１０２の内側面が接触するのを防止するのに十分な厚みを有する。
【００２４】
底基板１０２は底部伸張ピグテール１１２ａを具え、上部基板１０８は上部伸張ピグテール１１２ｂを具える。各伸張ピグテール１１２は、以下にさらに説明するように、ドライブライン１４０、検知層１１０、およびその他のセンサ１００の部材と電気的に接触する電気線１１５を具える。伸張ピグテール１１２の端部はコネクタを具えてもよく、また、この分野で周知のように、ピグテール１１２を直接コネクタに挿入してもよい。センサ１００を電気接続するその他の構成もまた可能である。   
【００２５】
センサ１００は、センサ１００をプリント回路基板のようなホスト装置（図示せず）に接着するための裏面または底部粘着剤１０６を具える。また、センサ１００は上部保護層１１８が貼り付けられる上部接着層１１６を具える。上部保護層１１８には、特定の色、模様、またはロゴ等をプリントしてもよい。
【００２６】
本発明の説明には、明確にするために上部や底部といった空間的な表現を使っている。センサ１００はどのような向きでも使用することができる。さらに、センサ１００は通常、上部面１０８にタッチして当該上部面１０８を底基板１０２に押しつけて動作するように説明されるが、センサ１００はまた、底基板１０２にタッチして当該底基板１０２を押して上部基板１０８に接触させても動作する。
【００２７】
ここで図２を参照して、本発明の一実施例にかかるセンサ１００の平面図を説明する。３つのノッチ１２０はホスト装置との整列用である。テール１１２は、センサ１００をホスト装置の回路に接続する。センサ１００の構造を単純にするために、テール１１２の一部は、底層１０２から構成され上側に面した導体を具える底部ピグテール１１２ａである。テール１１２の他方の部分は、上部層１０８で構成され下側に面した導体を具える上部ピグテール１１２ｂである。
【００２８】
ここで図３を参照して、本発明の実施例にかかる上部基板１０８の底面図を説明する。高導電線１２６の細かいグリッドが検知層１１０を構成しており、センサ１００が触られたときに抵抗リング１０４に押しつけられる。この層への単一の接続部１３０は上部ピグテール１１２ｂから延在する。
【００２９】
ここで図４を参照して、本発明の一実施例にかかる、近設された２本の導電線（１４０ａ，１４０ｂ）を具える底基板１０２の平面図を説明する。本実施例は、抵抗リング１０４内のギャップ１４２と、３本の導電線（１４０ａ−１４０ｃ）とを具える。ギャップ１４２近くの２本のドライブライン（１４０ａ，１４０ｂ）は、リング１０４に電位差を発生させるのに用いられる。第３の線１４０ｃはタイブレーカーである。ドライブライン（１４０ａ，１４０ｂ）およびタイブレーカー（１４０ｃ）の導電線１４０は、底部ピグテール１１２ａに延在する。
【００３０】
ここで図５を参照して、本発明の一実施例にかかる離れて設置された２本の導電線（１４０’ａ，１４０’ｂ）を具える底基板１０２の平面図を説明する。この実施例では、リング１０４の反対側に各々設置される２本のドライブライン（１４０’ａ，１４０’ｂ）を有する抵抗部材１０４のギャップの無いリングを具える。タイブレーカーである導電線１４０’ｃは、リング１０４の頂部で抵抗リング１０４と交わる。ドライブライン（１４０’ａ，１４０’ｂ）およびタイブレーカー（１４０’ｃ）の導電線１４０’は、底部ピグテール１１２ａに延在する。
【００３１】
ここで図６を参照して、本発明の一実施例にかかる３本の導電線１４０’’を具える底基板１０２の平面図を説明する。本実施例は、抵抗部材１０４に１２０°間隔で設けられる３本のドライブライン（１４０’’ａ−１４０’’ｃ）を具える。ドライブライン（１４０’’ａ−１４０’’ｃ）で構成される導電線１４０’’は、底部ピグテール１１２ａに延在する。
【００３２】
ここで図７ａ−７ｅを参照して、本発明の一実施例にかかる環状抵抗部材（１０４’−１０４’’’’’）の概略図を説明する。円形または円状の抵抗部材１０４の他に、様々な種類の環状形状を使用してもよい。図７ａは三角形の環状部材１０４’を示す。図７ｂは六角形の環状部材１０４’’を示す。図７ｃは長方形の環状部材１０４’’’を示す。図７ｄは卵形の環状部材１０４’’’’を示す。図７ｅは半円形の環状部材１０４’’’’’を示す。当業者なら理解できるように、様々な形をした抵抗部材を本発明に使用してもよい。
【００３３】
ここで図８を参照して、本発明の一実施例にかかる３本の導電線（１４０’’）および検知線１６２’’を具えるセンサ１００の概略図１６０を説明する。センサ１００は４つの接続部を具えている。接続部（すなわち、Ｄ１−Ｄ３）のうち３つは、抵抗リング１０４のドライブライン１４０’’である。４つ目の線（すなわち、Ｓ）は検知線１６２’’である。
【００３４】
センサ１００を測定するアルゴリズムが小さなマイクロプロセッサに実装される。以下に、一の８ビットアナログデジタル変換器（ＡＤＣ）および３本の通常用途のＩ／Ｏ線を使用するアルゴリズムを説明する。ＡＤＣの代わりに、オペアンプ電圧フォロワおよびスロープコンバータを使用してもよい。
【００３５】
以下の説明では、ストレートノース（すなわち、ストレートアップ）は０°（１２時の位置）であり、時計回りに角度が増える。センサ１００は、テールが１２時の位置にくるように向きを調整され、ドライブライン１４０’’が、０°、１２０°、および２４０°の位置に配置される。リングセンサ１００は、３つの領域に分割されると考えることができ、ゾーン１はＤ１を中心とする１２０°の区分、ゾーン２はＤ２を中心とする１２０°の区分、ゾーン３はＤ３を中心とする１２０°の区分とする。
【００３６】
アルゴリズムの初めの部分は、どのゾーンがタッチされたのかを決定する。どのドライブライン（すなわち、１４０’’ａ−１４０’’ｃ）がタッチ位置に最も近いか決定し、その他の２本のドライブラインは、正確なタッチ位置を決定する後続のステップで使用することができる。どのドライブラインがタッチ位置に最も近いか見つけるステップは、３つの測定により行われる。それぞれの測定では、２本のドライブラインがｈｉｇｈに設定され、１本がｌｏｗに設定される。最も近いドライブラインは、ＡＤＣの読み取り値が最も低いものである。以下、この方法の詳細なステップを示す。
１．ラインＤ２（すなわち、１４０’’ｃ）およびＤ３（すなわち、１４０’’ａ）をｈｉｇｈ、Ｄ１（すなわち、１４０’’ｂ）をｌｏｗに設定する。
２．ＡＤＣを使って検知線Ｓ（すなわち、１６２’’）を測定する。これをＶ１とする。
３．ラインＤ１およびＤ３をｈｉｇｈ、Ｄ２をｌｏｗに設定する。
４．ＡＤＣを使って検知線Ｓを測定する。これをＶ２とする。
５．ラインＤ１およびＤ２をｈｉｇｈ、Ｄ３をｌｏｗに設定する。
６．ＡＤＣを使って検知線Ｓを測定する。これをＶ３とする。
次に、どのゾーンがタッチされたか決定するのに以下のコードを使用する。
ｉｆ（Ｖ１＜＝Ｖ２）
｛
ｉｆ（Ｖ１＜＝Ｖ２）
ｚｏｎｅ＝１；
ｅｌｓｅ
ｚｏｎｅ＝３；
｝
ｅｌｓｅ
｛
ｉｆ（Ｖ２＜Ｖ３）
ｚｏｎｅ＝２；
ｅｌｓｅ
ｚｏｎｅ＝３；
｝
【００３７】
タッチされたゾーンが分かれば、実際のタッチ位置の角度が算出できる。角度は、一の測定により算出される。ルールは、角度を算出するためにタッチ位置から最も離れた２本のラインを使用することである。例えば、ゾーン１がタッチされた場合、角度の算出にはドライブライン２および３（すなわち、Ｄ２、Ｄ３）を使用する。以下に、ゾーン１がタッチされた場合に角度を算出するステップを記す：
１．ドライブラインＤ１を入力に設定し、事実上センサから切り離す。
２．Ｄ３をｌｏｗ、Ｄ２をｈｉｇｈに設定する。（これにより電位が時計回りに高くなる）
３．ＡＤＣを使って検知線Ｓを測定する。この測定値をＶｔｈｅｔａとする。
角度の決定は、Ｖｔｈｅｔａを複数回測定し、測定結果を蓄積または平均化することにより改良してもよい。
【００３８】
ＡＤＣは僅かにノイズが入るため、２回目の測定は、“正当性確認”のために実施される。この測定は、前述した測定と全く同じであるが、ドライブラインは、電位が時計と反対方向に増えるように設定される。例えばゾーン１では、Ｄ２はｌｏｗに設定され、Ｄ３はｈｉｇｈに設定される。この測定による電圧をＶｔｈｅｔａ＿ｉｎｖｅｒｓｅとする。ＶｔｈｅｔａおよびＶｔｈｅｔａ＿ｉｎｖｅｒｓｅは、補数でなければならない。
下記のコードの例は、この条件をチェックする：
ｉｆ（ａｂｓ（２５５−Ｖｔｈｅｔａ−Ｖｔｈｅｔａ＿ｉｎｖｅｒｓｅ＜１０）
ｓｅｎｓｏｒ＿ａｃｔｉｖｅ＿ｆｌａｇ＝１；
換言すると、ＶｔｈｅｔａおよびＶｔｈｅｔａ＿ｉｎｖｅｒｓｅの補数が許容差（例えば、１０）内でない場合、有効なタッチとは認められない（すなわち、ｓｅｎｓｏｒ＿ａｃｔｉｖｅ＿ｆｌａｇ＝０）。
【００３９】
Ｖｔｈｅｔａが測定され、タッチが確認されると、タッチ角度の算出が可能となる。例えば、電圧Ｖｔｈｅｔａは、２５６を角度２４０°に割りあてることにより測定される。これにより、電圧は２４０／２５６を掛けることにより角度に変換される。便宜的に、２４０／２５６を１５／１６の比にする。ゾーン１がタッチされた場合は、１２０°を角度に足さなければならない。ゾーン２がタッチされた場合は、２４０°を角度に足さなければならない。ゾーン３がタッチされた場合は、オフセットは必要ない。最後に、結果が３５９°を超えていないかチェックしなければならない。以下のコードは、Ｖｔｈｅｔａを角度ｔｈｅｔａに完全に変換する例を示す。
ｔｈｅｔａ＝（Ｖｔｈｅｔａ＊１５）／１６；      ／／電圧から角度に変換する
ｉｆ（１＝＝ｚｏｎｅ）                        ／／必要なオフセットを足す
ｔｈｅｔａ＋＝１２０；
ｅｌｓｅ  ｉｆ（２＝＝ｚｏｎｅ）
ｔｈｅｔａ＋＝２４０；
ｅｌｓｅ  ｉｆ（３＝＝ｚｏｎｅ）
ｔｈｅｔａ＋＝０；
ｉｆ（ｔｈｅｔａ＞３５９）                    ／／角度の正当性をチェック
ｔｈｅｔａ−＝３６０；
【００４０】
連続的なサンプリングでは、３５９°から０°へと連続するため、複数のサンプルを平均化するために補正が用いられる。例えば、３５８°と２°の単純平均は１８０°であるが、本当は平均値は０でなければならない。いくつかの方法が可能であるが、以下の方法は非常に単純で多くのコードを必要としない。以下の説明では、ｔｈｅａｔａ［０］は最も新しい測定値であり、ｔｈｅａｔａ［１］はその次に新しい測定値であり、ｔｈｅａｔａ［ｎ］はｎ番目の測定値である。
【００４１】
初めに平均値が算出される。続いて、この平均値をｔｈｅａｔａ［０］と比較する。平均値とｔｈｅａｔａ［０］があまりにも異なる場合は（例えば、５０°以上違う等）、ゼロを跨ったことによる問題が生じたと仮定する。この場合、総ての小さな角度を３６０°分オフセットして平均値が算出される。結果が３５９°よりも大きい場合は、結果から３６０°を引く。以下はコード例である：
ｔｅｍｐｉｎｔ＝（ｔｈｅａｔａ［０］＋ｔｈｅａｔａ［１］＋ｔｈｅａｔａ［２］＋ｔｈｅａｔａ［３］）／４；
ｉｆ（ａｂｓ（ｔｅｍｐｉｎｔ−ｔｈｅａｔａ［０］）＞５０）  ／／平均値がおかしいとき
｛
ｔｅｍｐｉｎｔ＝０；
ｆｏｒ（ｌｏｏｐ＝０；ｌｏｏｐ＜４；ｌｏｏｐ＋＋）
｛
ｔｅｍｐｉｎｔ＋＝ｔｈｅａｔａ［ｌｏｏｐ］；
ｉｆ（ｔｈｅａｔａ［ｌｏｏｐ］＜５０）      ／／角度が小さいとき
ｔｅｍｐｉｎｔ＋＝３６０；            ／／３６０°を足す
｝
ｔｅｍｐｉｎｔ／＝４；
｝
ｉｆ（ｔｈｅｔａ＿ｏｕｔ＞３５９）
ｔｈｅｔａ＿ｏｕｔ−＝３６０；
【００４２】
ここで図９を参照して、本発明の一実施例にかかるプロセッサ１７０の概略図１９０を説明する。ロジックは、タッチ位置を決定するマイクロプロセッサ内で実現される。このシステム１９０は、通常マイクロコントローラに使用されるクロック回路１７２およびシリアル通信回路１７４等を具える。図示されている実施例では、マイクロコンピュータは、検知線Ｓ用にアナログデジタル変換器（ＡＤＣ）入力線（すなわちＲＡ０）を具える。さらに、３本の線（すなわちＲＡ１−ＲＡ３）は、Ｄ１、Ｄ２、Ｄ３ラインを動作させるのに使われる。これらは各々独立して、出力ｈｉｇｈ、出力ｌｏｗ、またはハイインピーダンス入力として設定可能である。
【００４３】
図９のシステム１９０は、マイクロコントローラ１７０によって制御される送信部１８６を具えることによりリモートコントローラに使用される。この送信部１８６は、デジタルベースバンド信号などの電気入力を受け、当業者なら分かるように、変調した出力を作り出す。出力は、赤外線、電波、超音波等の方式であってもよい。
【００４４】
また、図９のシステム１９０はディスプレイ１７８を具える。図示されている実施例では、マイクロコントローラ１７０は、シリアルリンクを介して表示命令をディスプレイプロセッサ１７６に送信する。ディスプレイプロセッサ１７６は、液晶画面といったディスプレイ１７８を動作させる。これは、リモートコントローラ、ミュージックプレーヤ、ポータブルなデジタル情報記憶装置等に組み込まれる。代替的に、テレビ画面、コンピュータ画面、電気器具画面、ダッシュボード画面のようにディスプレイ１７８を分離してもよい。
【００４５】
本発明では、タッチセンサ１００は複数の操作機能を選択できる。例えば、センサ１００（すなわち、リング、入力面）は、コントローラ１７０の状態に基づいて１以上の論理的な領域に分割できる。すなわち、１以上の領域が、少なくともコントローラ１７０の状態に基づいて適切に入力面１００に規定される。各領域には、操作機能が割り当てらる。したがって、特定の機能はそれぞれ、センサ１００の対応する領域にタッチすることにより始動する。
【００４６】
特定の機能が選択されると動作期間が始まる。動作期間内はいつでも、回転動作がどの位置で開始されたかに拘わらず、リング全体が始動した機能を有している。この選択の過程および連続的なパラメータ入力は、マイクロコントローラ１７０にコードとして実装される。代替的に、機能選択およびパラメータ解析を実行するリモートコントローラ（図示せず）にタッチ位置を送信してもよい。
【００４７】
一つの動作を、タッチにより開始して、センサ１００が触れられなくなるまで継続するように規定することができる。代替的に一つの動作を、初めのタッチにより開始し、センサ１００が触れられなくなってから所定時間継続させて、所定時間内の２回目のタッチを同じ動作に属するようにしてもよい。
【００４８】
リングセンサ１００を使用する応用方法は、多くのポータブルまたは手持ちサイズの電子装置の便利な入力装置である。ポータブルな手持ちサイズの装置の例には、ホームエンターテイメントシステムに使用するリモートコントローラ、ポータブルミュージックプレーヤ、携帯電話、ポータブルなデジタルアシスタント、ＧＰＳシステム、ポータブルなデータ記憶装置等が含まれる。
【００４９】
簡単なシングルタッチ制御は、スクロール制御に組み込まれている。例えば、以下のビデオのトランスポート制御の例では、“再生”および“停止”は、初めのタッチの後にさらなる回転入力を必要としない。
【００５０】
コントローラ１７０の状態（すなわち、機能および／または提供される機能のセット）は、付加的な制御信号に基づいて、またはリングにより実現される序列的な制御システムにより変化する。いずれの場合も、マイクロコントローラ１７０は、可変の状態を維持して、どの操作機能が現在利用可能なのか示すことができる。各機能は、リング上またはリング近くのアイコンにより示すことができる。
【００５１】
図１０を参照して本発明の一実施例にかかるスクロールセンサ１００を具えるリモートコントローラ２００を示す斜視図を説明する。リモートコントローラ２００は、円形のスクロールセンサ１００を具える。スクロールセンサ１００の近くに配置されたプッシュボタン２０２は、センサ１００の１回目のタッチにより選択可能な機能セットを選別するのに使用される。リモートコントローラ２００はまた、数字のキーパッド２０４と様々なモード選択ボタンとを具える。また、制御ボタン２０８がスクロールセンサ１００の中央に設けられる。
【００５２】
図１１を参照して、本発明の一実施例にかかるホームエンターテイメントシステム２２０のブロック図を説明する。このホームエンターテイメントシステム２２０は、コンピュータ２２８、テレビまたはその他のディスプレイ装置２２２、オーディオ記録および／または再生装置２２６（例えは、ステレオ、音楽プレーヤ等）、ビデオ記録および／または再生装置２２４等といったコンポーネントを備える。リモートコントローラ２００は通常、上面に配置されるスクロールセンサ１００のハウジングを備える。通常、制御される各装置は、限られた命令セットにより操作する。例えば、テレビ、ケーブルボックス、またはサテライトチューナは、電源を入れる、電源を切る、ボリュームを上げる、ボリュームを下げる、チャネルを増やす、チャネルを減らす、チャネルディジットを受ける等の命令を受ける。
【００５３】
リモートコントローラ２００は、環状のスクロールセンサ１００により多数の機能を提供する。１回目のタッチは、タッチされたスクロールセンサ１００の領域に基づいてこれらの機能を選択する。２回目のタッチは機能の入力を提供する。図１２に例を示す。スクロールセンサ１００は、論理的に２つの領域に分割され、左半分、右半分のように示す。“ＣＨ”で示される左半分は、チャネル選択を提供する。“Ｖｏｌ”で示される右半分は、ボリューム制御を提供する。初めに左側の領域をタッチして右回りまたは左回りにスクロールすることにより、ユーザは、テレビのチャネルをそれぞれ連続的に増減させることができる。初めに右側の領域をタッチして右回りまたは左回りにスクロールすることにより、ユーザは、テレビのボリュームをそれぞれ連続的に増減させることができる。いずれの場合も、リモートコントローラ２００は、１回目のタッチを受け、スクロールセンサ１００がタッチされた領域を記憶し、制御信号を送る前に数秒間待つ。
【００５４】
図１３を参照して、本発明の一実施例にかかるビデオ再生機能を示す概略図を説明する。リング１００に配置された操作機能は（上から右方向に）、再生、早送り、停止、巻き戻しである。初めに上部を触るとビデオが通常の速さで再生される。初めに下部を触るとビデオの再生が停止する。ビデオ再生中に右側または左側を初めに触ると、ビデオが所定の速さで先にまたは逆に再生する。初めに上部を触り右回りまたは左回りにスクロールすると、スクロールした距離に比例した速さで先にまたは逆にビデオが再生する。
【００５５】
図１４を参照して、本発明の一実施例にかかるビデオの再生およびこま送りを示す概略図を説明する。リング１００に配置された操作機能は（上から右方向に）、ジョグコントロール、再生、シャトルコントロール、停止である。初めに右縁部に触れた場合、ビデオは通常の速さで再生する。初めに左縁部に触れた場合、ビデオは停止する。上部にタッチするとビデオが一時停止する。上部からスクロールすると、フレームごとに両方向にスクロール速度に比例した速さでビデオがゆっくりと再生される。タッチを止めると、ビデオは所定のフレームで一時停止する。初めに下部にタッチしてもビデオは再生する。下部からいずれの方向にスクロールしても、下部からスクロールした距離に比例する速さでビデオは再生される。この速さは、先送りまたは逆回りのいずれの方向で、ゆっくりした動きから非常に早い早送りまで変化させることができる。タッチを止めると、ビデオは選択された速さで選択された向きに動作を続ける。
【００５６】
図１５を参照して、本発明の一実施例にかかるＤＶＤプレーヤの制御を示す概略図を説明する。ＤＶＤプレーヤは、多くのＤＶＤに設けられたメニュー構造およびランダムにアクセスできるインフォメーションセグメントの有用性により、スクロールホイールセンサ１００で制御するのに非常に適している。ジョグコントロール、メニュースクロール、シャトルコントロール、および停止が、上部から右回りにリング１００に配置される。
【００５７】
初めにシャトル制御の中央近くの下縁部に触れた場合、ビデオは通常の速さで再生される。底部からいずれの方向にスクロールさせても、底部からスクロールした距離に比例した速さでビデオが再生される。この速さは、ゆっくりした動きから非常に早い早送りまで、また２回目のタッチの方向に応じて先送りまたは逆回りのいずれの方向で変化させることができる。タッチを止めると、ビデオは選択された速さで選択された向きに動作を続ける。初めに左縁部を触るとビデオが停止する。上部にタッチするとビデオが一時停止する。上部からスクロールすると、フレームごとに両方向にスクロール速度に比例した速さでビデオがゆっくりと再生される。タッチを止めると、ビデオは所定のフレームで一時停止する。初めに右縁部にタッチしてスクロールすると、現在利用可能なメニューアイテムが、例えば環状にスクロールする。メニューアイテムを離すとそのアイテムが選択される。これにより、複数のメニューのレベルを操作することができる。代替的に、スクロールセンサ１００またはその他に配置された独立したボタンを押下することにより、アイテムを選択してもよい。
【００５８】
図１６および１７を参照して、本発明の一実施例にかかる操作可能な画面上の電子番組ガイド２３４およびナビゲーションコントロールを示す概略図をそれぞれ説明する。現在のスクロール入力センサ１００は、１次元のナビゲーションに限られている。すなわち、ユーザ入力装置の回転運動が、グラフィカルユーザインタフェース上で水平または垂直のいずれかのような１方向のみの直線的な運動に変換される。多目的のノブは、リング１００の適切な箇所に初めてタッチすることにより、多数の次元でリストによるナビゲーションまたはスクロール、選択肢のマトリックス等として素速く使用される。提供されている例では、リング１００の上部または下部に初めにタッチすることにより、ここでの動作は多目的のノブを主に水平方向である“水平ナビゲーション”モードにする。リング状の任意の場所における次の動作により、スクロール、カーソル移動等の水平方向のパラメータ操作が可能となる。同様に、右または左部分を初めにタッチすることにより、ここでの動作は多目的のノブを主に垂直方向である“垂直ナビゲーション”モードにする。リング状の任意の場所における動作期間内の次の動作により、スクロール、カーソル移動等の垂直方向のパラメータ操作が可能となる。このナビゲーションモードは、生じるナビゲーションの方向が初めにリングに触れた位置の接線方向であるため、“タンジェントナビゲーションモード”と称する。
【００５９】
電子番組ガイド（ＥＰＧ）からの番組の選択は、このナビゲーションの方法を効果的に使用する。ＥＰＧ２３４は通常、グラフィカルユーザインタフェースの２次元のセルの配列である。各横列はチャネルを意味し、各縦列は時間帯を意味する。通常、各セルには番組の名称が入る。スクロールセンサ１００は、ＥＰＧ２３４にアクセスするよう設定される。上部で水平ナビゲーションを制御し、右側で垂直ナビゲーションを制御する。これらの制御はそれぞれ、下部および右側に置き換えてもよく、または４つの４分円部分総てを使用するように複製してもよい。初めにセンサ１００の上縁部に触れスクロールすることにより、マトリックスの選択肢が水平方向に移動する。初めにセンサ１００の右縁部に触れスクロールすることにより、マトリックスの選択肢が垂直方向に移動する。現在のナビゲーション位置は、カーソルまたはディスプレイマトリックス２３４のハイライトしたセルにより示すことができる。スクロールリング１００の中央部またはリモートコントローラの任意の位置に配置されたボタン（図示せず）を押して、指示された選択肢を選らんでもよい。
【００６０】
ＥＰＧ２３４またはその他のマトリックスの選択肢によるナビゲーションはまた、前述した構成を逆にすることにより実現でき、初めに上部または下部にタッチすることにより多目的ノブを垂直モードにし、左または右縁部にタッチすることによりノブを水平モードにすることができる。このモードは、ナビゲーションの方向が、初めに触れたリング１００の中央部から放射線上であるため“放射ナビゲーションモード”と称する。
【００６１】
図１８を参照して、本発明の一実施例にかかる日付制御を含む電子番組ガイド２３４の制御を示す概略図を説明する。多くの方向に加え、ナビゲーション機能は多くの次元を含む。例えば、一度に見ることができる通常のＥＰＧ（電子番組ガイド）２３４の２つの次元では、水平軸が時間で垂直軸がチャネル数である。第３の次元は“週の日”である。多目的スクロールリング１００では、この総てのナビゲーションが素速く利用できる。スクロールリング１００は、チャネル、時間、および日の範囲に分割される。“時間”のブラウズは初めに右上部を触ることにより初期化され、“チャネル”のブラウズは初めに左上部を触ることにより初期化され、“日”のブラウズは初めに下部を触ることにより初期化される。
【００６２】
図１９を参照して、本発明の一実施例にかかるオーディオコントロールを示す概略図を説明する。ホームエンターテイメントシステム、オーディオステレオシステム、ポータブルミュージックプレーヤ等は、オーディオコンポーネントを含む。本発明のスクロールセンサ１００により、一般的な方法を用いてこれらの制御を素速く利用できるようにすることにより、いくつかの実行可能なパラメータの素速い制御が可能となる。例えば、操作機能は、（上部から時計回りに）ボリューム、トレブル、バランス、およびバスといったようにリング１００に配置される。初めにラベルがされた一の制御近くに触れスクロールさせることにより、パラメータを変更することができる。初めに“Ｖｏｌ”に触れ右回りまたは左回りにスクロールさせることにより、オーディオのボリュームを現在のボリュームから上げたり下げたりすることができる。バスおよびトレブル制御も同様である。初めに“Ｂａｌ”に触れ左回りまたは右回りにスクロールさせることにより、ステレオのバランスを現在の設定からさらに右または左にそれぞれ変更することができる。
【００６３】
図２０を参照して、本発明の一実施例にかかるオーディオ再生制御を示す概略図を説明する。ＣＤ、テープ、ＭＰＥＧファイル等のプレーヤといったオーディオ再生装置は、オーディオ再生制御が必要である。再生、次のトラック、停止、前のトラック、および一時停止の制御が、リング１００の上部から時計回りに配置されている。初めに右上部にタッチすることにより再生が始まり、さらにスクロールすることにより、スクロールした距離に比例した速度でスクロールした方向に再生が加速する。初めに左下部または右下部にタッチすることにより、それぞれ一つ前のまたは次のトラックに飛び、さらにスクロールすることによりその前のまたはその次のトラックに飛ぶことができる。
【００６４】
図２１を参照して、本発明の一実施例にかかるポータブルデータストレージシステム２４０のブロック図を説明する。ＭＰＥＧオーディオストレージおよび再生装置などのメディアプレーヤを含むポータブルデータストレージシステム２４０により、デジタルアイテムを保存し簡単に持ち運ぶことができる。メディアプレーヤの場合、これらのデジタルアイテムはヘッドホン出力として再生できる音楽ファイルである。ポータブルデータストレージシステム２４０はまた、デジタルアイテムをコンピュータ間または長期記憶装置に転送することができる。この場合、インタフェースは、システムにロードするアイテムおよびシステムから転送するアイテムの双方に提供される。
【００６５】
図２１の例は、オーディオメディアプレーヤである。システム２４０は、既に開示した種類のリングセンサ１００を含む。また、ボタンおよびスイッチ等のその他の入力２４２を提供してもよい。リングセンサ１００およびその他の入力２４２は、本発明を実現するソフトウェアを実行するコントローラ２４４に入力信号を提供する。１以上の入力ポート２４６によりデジタルアイテムをデータストレージ２４８にロードすることができる。入力ポート２４６は通常、１以上のシリアル接続、ワイヤレス接続、リムーバブルメモリーカードリーダ等を含む。データストレージ２４８は通常、１以上の固体メモリ、磁気ディスク、リムーバブルメモリカード等を含む。再生では、アイテムはデータストレージ２４８から検索し、音信号を変換するヘッドホンまたはスピーカーと接続するオーディオ出力ポート２５０に送られる。ディスプレイ２５２は通常、例えば選択リスト、オーディオ出力レベル、制御状態、バッテリーレベル等の制御情報をユーザに提供するよう構成される。メディアプレーヤ２４０が、普通写真、ビデオ、映画等の画像も表示することができる場合、ディスプレイ２５２はイメージビュー画面を提供してもよい。
【００６６】
ポータブルメディアプレーヤ２４０のビデオ再生は、例えば、前述した図１３−１５のようなスクロールセンサ１００により制御することができる。ポータブルメディアプレーヤ２４０のオーディオ再生は、例えば、前述した図１９および２０のようなスクロールセンサ１００により制御することができる。メニューは、例えば、前述した図１７のようなスクロールセンサ１００を利用して移動させることができる。
【００６７】
図２２を参照して、本発明の一実施例にかかる画像コレクションをブラウズおよび表示する制御を説明する。ポータブルメディアプレーヤ、リモートコントローラ、パーソナルデジタルアシスタント、無線電話等は、多くの画像を保持および表示することができる。写真が一度に画面に表示できる大きさよりも大きい場合、タッチセンサ１００は、２つの方向にパンすることができる。これは、図２２に示す制御の設定により実現できる。初めにセンサ１００の上部にタッチして回転させると、水平方向のような一の方向にパンする。初めに右側部をタッチすることにより、水平方向のような直交方向にパンする。下部にタッチしてスクロールすることにより、画像を拡大または縮小することができる。左側部にタッチしてスクロールすることにより、一連の画面を切り替えることができる。
【００６８】
図２３を参照して、本発明の一実施例にかかる無線電話コントロールの制御を示す概略図を説明する。無線電話は、本発明にかかるタッチセンサ１００を効果的に応用した手持ちサイズの装置の別の種類である。さらに、通常の電話のタスクを高めるスクロールセンサ１００の制御設定がある。図２３は、通常の無線電話通話の効率性を高める制御設定を示す。リングセンサ１００は、上部から右回りに、数字入力、文字入力、メニュー選択、および電話帳の制御を含む。初めに数字入力にタッチしてスクロールすることにより、数字を素速く入力することができる。初めにタッチしたとき、電話のビデオ表示は初めのディジット位置であるゼロを表示する。右側にスクロールすると、この初めの位置で表示された数字が増加する。所望の数字が表示されたときにセンサ１００のタッチを止めると、ディジット位置の数字を選択し、ディジット位置を一つ増やす。２番目の数字も同様に２番目のディジット位置により選択することができる。スクロールセンサ１００の中央部の選択ボタンのような電話の独立したボタン（図示せず）により、入力された電話番号にダイヤルすることができる。
【００６９】
初めにセンサ１００の右側にタッチすることにより文字を入力することができる。１番目の文字位置の１番目の文字は、所望の文字が表示されるまでスクロールすることにより選択される。センサ１００のタッチを止めると、文字が選択されて、２番目の文字位置に進む。所望の数の文字位置がこのようにして埋められる。文字には、上および下、“シフト”または“シフトロック”、スペースなどの制御文字、スペース、アンパサンドなどの特別の文字、および句点を含む。代替的に、数字または文字入力中の数字または文字の選択は、独立した選択ボタン（図示せず）を押下することにより終了してもよい。
【００７０】
初めに“メニュー”にタッチしてスクロールすることにより、ユーザはメニュー選択システムを素速くスクロールすることができる。初めに“電話帳”にタッチすることにより、ユーザは電話帳の項目を素速くスクロールすることができる。
【００７１】
前述の制御において、スクロール後の選択肢の選択は、適切な選択肢がスクロールされた後に、センサ１００のタッチを止めることによりまたは独立した選択ボタンを押下することにより動作するようにしてもよい。
【００７２】
無線電話がさらに改良されるに伴い、無線電話がポータブルミュージックおよび／またはビデオプレーヤを具えるようになっている。前述のように、リングセンサ１００によりこれらの特徴を制御することができる。
【００７３】
図２４を参照して、本発明の一実施例にかかる複数のメニューの制御を示す概略図を説明する。本発明のコントロールセンサ１００により、複数のメニューを提供する装置を簡単に制御することができる。図示した例では、初めのタッチにより４つのメニューのうちの１つを選択することができる。スクロールセンサ１００の任意の位置における２番目のタッチによりメニュー項目をナビゲートする。メニュー項目は、２番目のタッチを止めることにより、あるいはスクロールセンサ１００の中央部のボタン（図示せず）のような別の制御手段にタッチすることにより選択することができる。
【００７４】
当業者なら理解できるように、本発明はさまざまな装置に応用することができる。リングセンサ１００は、オプションの選択や、手持ちサイズまたは自動車のＧＰＳシステムで表示される地図のナビゲーションに利用してもよい。この応用または別の自動車の応用において、スクロールセンサ１００をハンドルに取付けることにより、ドライバーの妨害を最小限にして簡単にコントロールアクセスできるようにしてもよい。また、本発明を遠隔操作カメラの機能に利用してもよい。これらの機能に、パン、ティルト、ズーム、フォーカス、絞り等を含めてもよい。
【００７５】
本発明により、直交、非直交、または全方向性のナビゲーションを簡単にサポートすることができる。既に開示したナビゲーションコントロールを、複数の非直交方向（すなわち、ＸおよびＹ以外）に展開することができる。例えば、リング１００を論理的に複数の領域に分割してある領域にタッチすることにより、同一の動作期間内のスクロールセンサ上の動作を、リング１００の中央部から初めにタッチした領域を介して拡がる放射線状に沿うようにすることができる。リングセンサ１００により、複数の独立した領域または連続した領域を実現してもよい。
【００７６】
センサ１００の回転入力を使用する方法は、単一の機能セットに限られない。複数の機能セットがあってもよい。例えば、ホームエンターテイメントシステムのリモートコントローラのリングセンサ１００は、テレビを観ている間の一つのコンテキストによるチャネルおよびボリューム、電子番組ガイドから番組を選択するナビゲーション、音楽を聞いている間のオーディオパラメータ、およびＤＶＤを観ている間のビデオ転送を制御することができる。複数の機能セットからの選択は付加的なボタンを押下することにより実現でき、機能の制御はコンテキストに基づいて自動的に切り替え可能である。
【００７７】
本発明の実施例が図示され、説明されているが、これらの実施例は本発明の総ての可能な形態を図示し、説明していることを意味するものではない。むしろ、明細書で使用された語は、限定ではなく説明としての語であり、また、本発明の意図及び目的を超えない限りにおいて、様々な変形例を実現できると解される。
【図面の簡単な説明】
【００７８】
【図１】図１は、本発明の一実施例にかかるセンサの分解斜視図である。
【図２】図２は、本発明の一実施例にかかるセンサの平面図である。
【図３】図３は、本発明の一実施例にかかる上部基板の底面図である。
【図４】図４は、本発明の一実施例にかかる近設された導電線を具える底基板の平面図である。
【図５】図５は、本発明の一実施例にかかる離れて設置された導電線を具える底基板の平面図である。
【図６】図６は、本発明の一実施例にかかる３本の導電線を具える底基板の平面図である。
【図７】図７ａ−ｅは、本発明の一実施例にかかる環状抵抗部材の概略図である。
【図８】図８は、本発明の一実施例にかかる３本の導電線および検知線を具えるセンサの概略図である。
【図９】図９は、本発明の一実施例にかかるプロセッサの概略図である。
【図１０】図１０は、本発明の一実施例にかかるスクロールセンサを具えるリモートコントローラを示す斜視図である。
【図１１】図１１は、本発明の一実施例にかかるホームエンターテイメントシステムのブロック図である。
【図１２】図１２は、本発明の一実施例にかかるチャネル選択およびボリューム操作機能を示す概略図である。
【図１３】図１３は、本発明の一実施例にかかる録画再生機能を示す概略図である。
【図１４】図１４は、本発明の一実施例にかかる録画の再生およびコマ送り操作を示す概略図である。
【図１５】図１５は、本発明の一実施例にかかるＤＶＤプレーヤの操作を示す概略図である。
【図１６】図１６は、本発明により操作される画面上の電子番組ガイドである。
【図１７】図１７は、本発明の一実施例にかかる電子番組ガイドを操作するコントローラを示す概略図である。
【図１８】図１８は、本発明の一実施例にかかる日付操作を含む電子番組ガイドを操作を示す概略図である。
【図１９】図１９は、本発明の一実施例にかかるオーディオ操作を示す概略図である。
【図２０】図２０は、本発明の一実施例にかかるオーディオの再生操作を示す概略図である。
【図２１】図２１は、本発明の一実施例にかかるポータブルなデータストレージシステムのブロック図である。
【図２２】図２２は、本発明の一実施例にかかる画像のコレクションをブラウズおよび表示の操作を示す概略図である。
【図２３】図２３は、本発明の一実施例にかかる無線電話コントロールの操作を示す概略図である。
【図２４】図２４は、本発明の一実施例にかかる複数のメニュー操作を示す概略図である。
【図１】
2008509476.tif 000003
【図２】
2008509476.tif 000004
【図３】
2008509476.tif 000005
【図４】
2008509476.tif 000006
【図５】
2008509476.tif 000007
【図６】
2008509476.tif 000008
【図７】
2008509476.tif 000009
【図８】
2008509476.tif 000010
【図９】
2008509476.tif 000011
【図１０】
2008509476.tif 000012
【図１１】
2008509476.tif 000013
【図１２】
2008509476.tif 000014
【図１３】
2008509476.tif 000015
【図１４】
2008509476.tif 000016
【図１５】
2008509476.tif 000017
【図１６】
2008509476.tif 000018
【図１７】
2008509476.tif 000019
【図１８】
2008509476.tif 000020
【図１９】
2008509476.tif 000021
【図２０】
2008509476.tif 000022
【図２１】
2008509476.tif 000023
【図２２】
2008509476.tif 000024
【図２３】
2008509476.tif 000025
【図２４】
2008509476.tif 000026
【国際調査報告】
2008509476.tif 000027
2008509476.tif 000028